(57)【要約】【課題】放送による映像信号がある程度劣化していても、この信号に基づく映像表示を行うものでありながら、ノイズの発生を極力抑制することができる放送受信装置を提供する。【解決手段】放送波を受信し、該放送に係る映像信号を抽出する受信部と、前記映像信号に基づいて、ディスプレイに映像を表示させるためのドライブ信号を生成するドライブ信号生成部と、前記映像信号の品質を所定の第１水準と比較する比較部と、を備えた放送受信装置であって、前記ドライブ信号生成部は、前記品質が前記第１水準より低い場合には、前記映像のブライトまたはコントラストが所定分だけ小さくなるように、前記ドライブ信号を生成する放送受信装置とする。【選択図】図１
2008244540.tif 000002
【特許請求の範囲】
【請求項１】
放送波を受信し、該放送に係る映像信号を抽出する受信部と、
前記映像信号に基づいて、ディスプレイに映像を表示させるためのドライブ信号を生成するドライブ信号生成部と、
前記映像信号の品質を、所定の第１水準；および該第１水準より低い状態を表す第２水準；と比較する比較部と、
を備えた放送受信装置であって、
前記比較部は、
前記映像信号に含まれている同期信号をどの程度の割合で検知できるかを検出し、該検出結果に基づいて、前記品質を認定するものであり、
前記ドライブ信号生成部は、
前記品質が、前記第１水準より低く前記第２水準より高い場合には、前記映像のブライトまたはコントラストが所定分だけ小さくなるように、前記ドライブ信号を生成する一方、
前記品質が、前記第２水準より低い場合には、前記映像信号に基づいたドライブ信号の生成を停止させるとともに、前記ディスプレイに予め準備された映像を表示させるように、前記ドライブ信号を生成する
ことを特徴とする放送受信装置。
【請求項２】
放送波を受信し、該放送に係る映像信号を抽出する受信部と、
前記映像信号に基づいて、ディスプレイに映像を表示させるためのドライブ信号を生成するドライブ信号生成部と、
前記映像信号の品質を所定の第１水準と比較する比較部と、を備えた放送受信装置であって、
前記ドライブ信号生成部は、
前記品質が前記第１水準より低い場合には、前記映像のブライトまたはコントラストが所定分だけ小さくなるように、前記ドライブ信号を生成することを特徴とする放送受信装置。
【請求項３】
前記比較部は、
前記映像信号の品質を、前記第１水準よりも低い状態を表す第２水準とも比較するものであり、
前記ドライブ信号生成部は、
前記品質が前記第２水準より低い場合には、前記映像信号に基づいたドライブ信号の生成を停止させることを特徴とする請求項２に記載の放送受信装置。
【請求項４】
前記ドライブ信号生成部は、
前記停止を行ったときは、前記ディスプレイに、予め準備された映像を表示させるように前記ドライブ信号を生成することを特徴とする請求項３に記載の放送受信装置。
【請求項５】
前記比較部は、
前記映像信号に含まれている同期信号をどの程度の割合で検知できるかを検出し、該検出結果に基づいて、前記品質を認定することを特徴とする請求項２から請求項４の何れかに記載の放送受信装置。
【発明の詳細な説明】
【技術分野】
【０００１】
本発明は、放送波を受信する放送受信装置に関し、特に、放送に係る映像をディスプレイ表示させるドライブ信号を生成するものに関する。
【背景技術】
【０００２】
従来、放送局からの放送波を受信し、放送内容に係る映像や音響を出力させる放送受信装置が広く用いられている。かかる放送受信装置では、放送波が適切に受信されたときには正常に作動するが、放送波が種々の要因により劣化している場合には、例えばディスプレイにスノーノイズが現れるといった不具合が生じる。スノーノイズの発生は、映像信号が無線伝送中に劣化することが主な原因である。
【０００３】
スノーノイズの発生時のように映像が暴れた状態である時は、ディスプレイに映像を表示させるドライバでの電流変動などが激しくなっているため、電磁波の輻射量が増加することになる。電磁波の輻射は他の装置に対するノイズとなるため、スノーノイズの発生度合によっては、例えばＦＣＣ［Federal Communications Commission］Ｃｌａｓｓといったノイズ規制に関する規定をクリアできないおそれもある。
【０００４】
そこでこのような不具合を回避するため、例えば受信された映像信号が相当に劣化しており、ある程度のスノーノイズが発生するおそれのある場合には、映像信号に基づいた表示を停止して、ブルーバック表示とすることが考えられる。その結果、スノーノイズの発生に伴う電磁波の輻射量の増大を、極力抑えることが可能である。
【特許文献１】特開２００６−１３３４０５号公報
【特許文献２】特開２００４−３４１４８１号公報
【発明の開示】
【発明が解決しようとする課題】
【０００５】
先述した技術によれば、多少のスノーノイズが発生してはいるが、放送内容の映像を見ることが可能な程度に映像の表示ができる場合に、適切に対応することが難しい。すなわちこのような場合に、ノイズの抑制を重視してブルーバック表示とすれば、放送内容を全く見ることができなくなる。一方、このような場合に、ノイズの抑制に関して何ら対処しないものとすれば、他の装置に対するノイズの影響等が問題となる。
【０００６】
そこで本発明は、上記の問題に鑑みてなされたものであり、放送による映像信号がある程度劣化していても、この信号に基づく映像表示を行うものでありながら、ノイズの発生を極力抑制することができる放送受信装置の提供を目的とする。
【課題を解決するための手段】
【０００７】
上記目的を達成するため、本発明による放送受信装置は、放送波を受信し、該放送に係る映像信号を抽出する受信部と、前記映像信号に基づいて、ディスプレイに映像を表示させるためのドライブ信号を生成するドライブ信号生成部と、前記映像信号の品質を所定の第１水準と比較する比較部と、を備えた放送受信装置であって、前記ドライブ信号生成部は、前記品質が前記第１水準より低い場合には、前記映像のブライトまたはコントラストが所定分だけ小さくなるように、前記ドライブ信号を生成する構成（第２の構成）とする。
【０００８】
本構成によれば、映像信号の品質が第１水準より低い場合でも、ドライブ信号が生成される。そのため、放送による映像信号がある程度劣化していても（品質が第１水準より低くても）、ドライブ信号により、ディスプレイに映像を表示させることが可能である。
【０００９】
また一方で、この場合には、映像のブライトまたはコントラストが所定分だけ小さくなるように、ドライブ信号が生成される。そのため、ドライブ信号生成部などから発せられるノイズを、極力抑制することが可能となる。なお信号の品質とは、振幅の減衰やノイズの混入等によって、信号がどの程度劣化しているかを示すものであり、劣化が小さい程、品質は高くなる。
【００１０】
また上記第２の構成において、前記比較部は、前記映像信号の品質を、前記第１水準よりも低い状態を表す第２水準とも比較するものであり、前記ドライブ信号生成部は、前記品質が前記第２水準より低い場合には、前記映像信号に基づいたドライブ信号の生成を停止させる構成（第３の構成）としてもよい。
【００１１】
映像信号の品質が低くなり過ぎると、ノイズの発生が問題とならない程度に映像のブライトやコントラストを小さくした場合に、一定の品質が確保された映像表示を行うことができなくなる。本構成によれば、このようになる場合の映像信号の品質を第２水準と定めておくことで、映像信号に基づいた映像の出力を停止させることが可能となる。
【００１２】
また上記第３の構成において、前記ドライブ信号生成部は、前記停止を行ったときは、前記ディスプレイに、予め準備された映像を表示させるように前記ドライブ信号を生成する構成（第４の構成）としてもよい。
【００１３】
本構成によれば、例えば、映像信号に基づく映像出力が停止させたことを示す映像（例えばブルーバック映像）などが予め準備されていることで、映像信号に基づく映像出力が停止された場合に、ユーザに現状を認識させることや不快感を与えないようにすること等が可能となる。
【００１４】
また上記第２から第４の構成において、前記比較部は、前記映像信号に含まれている同期信号をどの程度の割合で検知できるかを検出し、該検出結果に基づいて、前記品質を認定する構成（第５の構成）としてもよい。
【００１５】
所定の検知条件下で同期信号をより多くの割合で検知できる程、映像信号における減衰やノイズ混入は少なく、ひいては、品質も高いと推定される。また放送信号においては、通常、一定期間における同期信号（垂直同期信号または水平同期信号）の到来数は決まっているため、同期信号をどの程度の割合で検知できるか（検知率）を検出することは比較的容易である。そのため本構成によれば、映像信号の品質の認定を容易に行うことが可能となる。
【００１６】
なお、放送波を受信し、該放送に係る映像信号を抽出する受信部と、前記映像信号に基づいて、ディスプレイに映像を表示させるためのドライブ信号を生成するドライブ信号生成部と、前記映像信号の品質を、所定の第１水準；および該第１水準より低い状態を表す第２水準；と比較する比較部と、を備えた放送受信装置であって、前記比較部は、前記映像信号に含まれている同期信号をどの程度の割合で検知できるかを検出し、該検出結果に基づいて、前記品質を認定するものであり、前記ドライブ信号生成部は、前記品質が、前記第１水準より低く前記第２水準より高い場合には、前記映像のブライトまたはコントラストが所定分だけ小さくなるように、前記ドライブ信号を生成する一方、前記品質が、前記第２水準より低い場合には、前記映像信号に基づいたドライブ信号の生成を停止させるとともに、前記ディスプレイに予め準備された映像を表示させるように、前記ドライブ信号を生成する構成（第１の構成）の放送受信装置であれば、上記の各構成により得られる利益を享受することが可能である。
【発明の効果】
【００１７】
上述の通り、本発明の放送受信装置によれば、映像信号の品質が第１水準より低い場合でも、ドライブ信号が生成される。そのため、放送による映像信号がある程度劣化していても（品質が第１水準より低くても）、ドライブ信号により、ディスプレイに映像を表示させることが可能である。
【００１８】
また一方で、この場合には、映像のブライトまたはコントラストが所定分だけ小さくなるように、ドライブ信号が生成される。そのため、ドライブ信号生成部などから発せられるノイズを、極力抑制することが可能となる。
【００１９】
つまり映像信号の劣化により、映像信号に基づく映像をそのまま表示させるとドライブ信号生成部などから発せられるノイズが問題となる場合であっても、映像表示とノイズ抑制を極力両立させることが可能となる。
【発明を実施するための最良の形態】
【００２０】
本発明の実施形態について、図１に示す構成の放送受信装置を例に挙げて、以下に説明する。本図に示すように当該放送受信装置１は、受信部１１、選局部１２、信号処理部１３、スピーカ１４、ＬＣＤドライバ１５、ＬＣＤ１６、信号品質検出部１７、ブライト／コントラスト調整部１８、制御部１９、および操作部２０などを備えている。
【００２１】
受信部１１は、アンテナ等を有しており、映像および音響の情報を含む放送波を受信して、後段の回路に伝送する。
【００２２】
選局部１２は、受信部１１から伝送されてきた受信信号に対して所定周波数（チャンネル）の信号を抽出（選局）し、これを放送信号として後段の回路１３に伝送する。なお選局されるチャンネルについては、操作部２０を通じて、ユーザが任意に選択できるようになっている。
【００２３】
信号処理部１３は、選局処理の施された放送信号に対して、映像信号や音響信号を抽出する処理など、所定の処理を施す。またスピーカ１４は、信号処理部１３から伝送される音響信号に基づいて、音響を出力する。
【００２４】
ＬＣＤドライバ１５は、信号処理部１３から伝送される映像信号に基づいて、ＬＣＤ［Liquid Crystal Display］１６に映像を表示させるための信号（ドライブ信号）を生成して、これをＬＣＤ１６に出力する。なお両装置間におけるドライブ信号の伝送は、ＬＶＤＳ［Low Voltage Differential Signaling］方式によるものが採用されている。また後述するようにＬＣＤドライバ１５は、ブライト／コントラスト調整部１８から伝送される調整信号に応じて映像のブライト（輝度）やコントラストが変動するように、ドライブ信号を生成することが可能となっている。
【００２５】
なお映像のブライトまたはコントラストをダウンさせる程、通常、映像の明るさや明瞭さは低くなるが、ドライブ信号を生成するＬＣＤドライバ１５での電流変動がより抑えられ、ひいては、ＬＣＤドライバ１５における電磁波の輻射（他の装置へのノイズとなり得る）も減少する。またこの場合、ＬＣＤ１６の各画素における輝度の変動量もより小さくなるため、ＬＣＤ１６自体における電磁波の輻射量も減少させ易くなる。
【００２６】
信号品質検出部１７は、映像信号に含まれている同期信号を利用して、映像信号の品質（劣化度合）を検出する。なおかかる検出方法については、改めて説明する。
【００２７】
ブライト／コントラスト調整部１８は、信号品質検出部１７における検出結果を受け、これに基づいて調整信号を生成し、ＬＣＤドライバ１５に出力する。この調整信号は、ＬＣＤドライバ１５におけるドライブ信号の生成処理に影響を与えるものであり、かかる影響の内容については後述する。
【００２８】
制御部１９は、放送受信装置１においてなされる各処理を制御する。また操作部２０は、各種ボタンスイッチやリモコン受信装置などにより構成されており、ユーザが放送受信装置１に対して種々の指示を与えるためのユーザインターフェースとして機能する。これによりユーザは、例えば選局されるチャンネルを切替えたり、ブライト／コントラスト調整部１８における調整内容（ブライトおよびコントラストのうち、何れを変動させるか）を指定したりすることが可能となっている。
【００２９】
ここで先述した信号品質検出部１７における、映像信号の品質の検出方法について説明する。まず信号品質検出部１７は、映像信号に含まれている同期信号（垂直同期信号および水平同期信号の少なくとも一方）が、所定期間（例えば１秒間）に何個検知されるかを調べる。なおこの検知は、同期信号のパルスを所定のスライスレベルと比較することによりなされるが、このスライスレベルは、当該検知を適切に実行させるために任意のレベルを採用することが可能である。
【００３０】
例えば図２に示すように、通常時（映像の同期をとるという本来の目的に使用される場合）には、（Ａ）のスライスレベルを採用する一方、映像信号の品質の検出においては、（Ｂ）のスライスレベルを採用するといったことも可能である。この場合、（Ａ）のスライスレベルによれば、同期信号４個の全てが検知されることになるが、（Ｂ）のスライスレベルによれば、４個中２個が検知されることになる。つまり（Ｂ）のスライスレベルを用いることにより、通常時より厳しい条件で、同期信号の検知を行っていることになる。
【００３１】
このようにスライスレベルを採用することにより、通常時では同期信号の検知漏れを極力防ぎ、映像の品質劣化を防ぐことが可能となる一方、映像信号の品質の検出においては、かかる検出に適した（例えば品質の優劣をより精度良く判定するため、やや厳しい条件の）スライスレベルを適用することが可能となる。
【００３２】
そしてこの検知結果に基づいて、同期信号の検知率（検知された同期信号の総数を、到来したはずの同期信号の総数で除したもの）を求める。通常、所定期間中に映像信号に含まれる同期信号の数は予め分かっている（例えば垂直同期信号では６０個／秒などといった具合）から、かかる検知率を求めることは可能である。
【００３３】
この検知率が高いほど、映像信号の劣化度合はより小さく、ひいては、映像信号の品質はより良い状態であると検出されることになる。なお映像信号の品質を検出するにあたり、検知率の代わりに、ある一定期間内に検知された同期信号の総数を利用しても良い。
【００３４】
次にブライト／コントラスト調整部１８においてなされる、調整信号を生成するための処理について、図３のフローチャートを参照しながら、以下に説明する。
【００３５】
ブライト／コントラスト調整部１８は、信号品質検出部１７によって得られる同期信号の検知率を監視している。そして同期信号の検知率が、第１水準以上であるか否かを判断する（ステップＳ１１）。なおこの第１水準は、映像信号の劣化が少なく、そのまま（何らかの補正処理を施さずに）映像出力を行っても、ＬＣＤドライバ１５等から発せられるノイズの影響は十分に小さいと想定される水準として、予め定められているものである。
【００３６】
かかる判断の結果、当該検知率が第１水準以上である場合には（ステップＳ１１のＹ）、映像信号の品質は良好であり、映像出力の状態を現状から変更する必要はない。そこでブライトやコントラストが特に補正されないように調整信号が生成され（ステップＳ１２）、ＬＣＤドライバ１５に出力される。
【００３７】
一方、同期信号の検知率が第１水準より小さい場合には（ステップＳ１１のＮ）、同期信号の検知率が、第２水準以上であるか否かを判断する（ステップＳ１３）。なおこの第２水準は、上述の第１水準よりも低い水準（より劣化した状態を示す水準）として予め定められているものである。より具体的には、スノーノイズが発生し、ＬＣＤドライバ１５等から発せられるノイズの影響が問題となる可能性はあるが、ユーザが、ある程度の品質で映像を見ることが可能な水準として定められているものである。
【００３８】
かかる判断の結果、当該検知率が第２水準以上である場合には（ステップＳ１３のＹ）、映像のブライトおよびコントラストの少なくとも一方が所定分だけダウンするように補正されるよう、調整信号が生成され（ステップＳ１４）、ＬＣＤドライバ１５に出力される。なお、ブライトやコントラストがダウンする程、映像の明るさや明瞭さも低下するおそれがあるが、ここでの「所定分」は、映像がある程度の品質（例えばユーザが著しく不快感を抱くことがない程度）を保つように設定されている。
【００３９】
そのためステップＳ１４の処理がなされても、ユーザはさほどの違和感を抱かずに、映像を見ることができるようになっている。またステップＳ１４の処理がなされることにより、ＬＣＤドライバ１５等が発するノイズを低減させることが可能となっている。
【００４０】
なおステップＳ１３における判断の結果、当該検知率が第２水準未満である場合には（ステップＳ１３のＮ）、映像信号の品質は非常に悪く、上述したようなブライトやコントラストを落とす処理を施すと、映像の品質を確保することはできないと考えられる。そのためこの場合、ブライト／コントラスト調整部１８は、映像信号に基づく映像を表示させないように調整信号を生成し（ステップＳ１５）、ＬＣＤドライバ１５に伝送する。
【００４１】
このようにすることで、ＬＣＤドライバ１５等から発せられるノイズを、極力低減させることが可能となる。なお映像信号に基づく映像を表示させない場合、代わりに例えばブルーバック（画面全体を青色表示させるように、予め準備された画像）を表示させるようにしてもよい。
【００４２】
結局、上述した一連の処理によれば、同期信号の検出率が第１水準以上（映像信号の劣化度合が小さい）の場合には、映像信号に基づく映像がそのまま（ブライトやコントラストの調整がなされずに）出力される。また同期信号の検出率が第２水準以上で第１水準未満（映像信号の劣化度合が中程度）の場合には、映像信号に基づく映像が、ブライトやコントラストの調整がなされて出力される。また同期信号の検出率が第２水準未満（映像信号の劣化度合が大きい）の場合には、映像信号に基づく映像は出力されない。
【００４３】
このように放送受信装置１では、映像出力とノイズ削減の双方を、同期信号の検出率により推定された映像信号の品質に応じて、バランスよく実現し得るものとなっている。なお本実施形態では、映像信号の品質を検出するにあたって、同期信号の検知率を利用しているが、この方法に限定されるものではなく他の方法を用いてもよい。また本実施形態でなされる第２水準との比較判断（ステップＳ１３）に相当する処理を省略させ、例えば同期信号の検知率が第１水準未満である限り、ブライトまたはコントラストを所定量ダウンさせる処理（ステップＳ１４）を行うようにしても良い。
【００４４】
以上に説明したとおり、本実施形態の放送受信装置１は、放送波を受信し、該放送に係る映像信号を抽出する受信部１１、選局部１２、および信号処理部１３と、この映像信号に基づいて、ＬＣＤ１６に映像を表示させるためのドライブ信号を生成するＬＣＤドライバ１５（ドライブ信号生成部）と、この映像信号の品質を、第１水準と比較する手段と、を備えている。そしてＬＣＤドライバ１５は、ブライト／コントラスト調整部１８から伝送される調整信号に応じて、この品質が第１水準より低い場合には、映像のブライトまたはコントラストが所定分だけ小さくなるように、ドライブ信号を生成するものとなっている。
【００４５】
そのため放送受信装置１によれば、映像信号の品質が第１水準より低い場合でも、ドライブ信号が生成される。そのため、放送による映像信号がある程度劣化していても（品質が第１水準より低くても）、ドライブ信号により、ＬＣＤ１６に映像を表示させることが可能となっている。
【００４６】
また一方で、この場合には、映像のブライトまたはコントラストが所定分だけ小さくなるように、ドライブ信号が生成される。そのため、ＬＣＤドライバ１５などから発せられるノイズを、極力抑制することが可能となっている。つまり映像信号の劣化の度合により、映像信号に基づく映像をそのまま表示させると、ＬＣＤドライバ１５などから発せられるノイズが問題となる場合に、映像表示とノイズ抑制を極力両立させることが可能となっている。
【００４７】
以上の通り、本発明の実施形態について説明したが、本発明はこれに限定されず、本発明の趣旨を逸脱しない範囲で、種々の改変が可能である。
【産業上の利用可能性】
【００４８】
本発明は、テレビ放送受信機といった放送受信装置などの分野において利用可能である。
【図面の簡単な説明】
【００４９】
【図１】本発明の実施形態に係る放送受信装置の構成図である。
【図２】同期信号を検知するためのスライスレベルに関する説明図である。
【図３】調整信号の生成処理に係る流れ図である。
【符号の説明】
【００５０】
１    放送受信装置
１１    受信部
１２    選局部
１３    信号処理部
１４    スピーカ
１５    ＬＣＤドライバ（ドライブ信号生成部）
１６    ＬＣＤ（ディスプレイ）
１７    信号品質検出部
１８    ブライト／コントラスト調整部
１９    制御部
２０    操作部
【図１】
2008244540.tif 000003
【図２】
2008244540.tif 000004
【図３】
2008244540.tif 000005